(57)【要約】【課題】  木造住宅の横架材又は柱と梁との結合に用いる建築金物であって、結合操作が簡単で、結合が強固であると共に、結合個所に金物が露出することが少ない、金物の提供。【解決手段】  受け側の第１金物Ｐと係合側の第２金物Ｓを準備し、横架材５や柱の側面に第１金物Ｐを取付け、梁８の端面に第２金物Ｓを取付け、第１金物Ｐと第２金物Ｓを向かい合わせに重合し係合させて、横架材５に梁８を結合する。第１金物Ｐと第２金物Ｓは、板材を屈曲して扁平に構成する。第１金物Ｐと第２金物Ｓとの間には、これらを重合させ係合させたとき、第１金物Ｐに対して、第２金物Ｓの位置を左右方向と上下方向に位置決めし、また、必要に応じて前後方向に引寄せることもできる構造とする。【選択図】      図１
2005163454.tif 000002
【特許請求の範囲】
【請求項１】
ほぼ一定な肉厚の板材を、板材の縦方向に対して横方向の曲げ線に沿って屈曲することにより、第１面部と第２面部及び第１面部に続けて折り返した態様で第３面部を構成した金物であって、同じ形のものを第１金物、第２金物として縦方向で対称に配置し、その一方を反転して他方へ重合させ係合させることにより使用するものであり、
金物の前記第２面部は、第１面部と重ならない位置で板材の肉厚分だけ上方へ、かつ、第１面部とほぼ平行に配置され、第３面部は第１面部と連結面部でつながり、第１面部に重なる位置で、第１面部から板材肉厚分のほぼ２倍の上方へ、かつ、平行に配置されており、第１面部と第２面部及び第３面部の縦方向寸法はほぼ等しくされ、第１面部と第２面部に固定用孔を設けると共に、第３面部と第１面部にこれらの面部を貫通する係合部材Ａ用の孔を設け、第２面部に第２面部を貫通する係合部材Ｂ用の孔を設け、さらに、第３面部の端縁に相手方の前記係合部材Ｂと係合しこの係合部材Ｂの位置かそれよりも深い縦方向の切欠Ｆを形成し、第２面部の端縁に相手方の前記係合部材Ａと係合しこの係合部材Ａの位置かそれよりも深い縦方向の切欠Ｅを形成してあることを特徴とした梁受け金物。
【請求項２】
第２面部に係合部材Ｂ用の孔が複数個配置され、これに対応して第３面部の端縁に前記孔と同じ数の切欠Ｆを対応した位置に形成してあることを特徴とした請求項１に記載の梁受け金物。
【請求項３】
第３面部の切欠Ｆと対応した第１面部の個所に固定用孔が形成されていることを特徴とした請求項１又は請求項２に記載の梁受け金物。
【請求項４】
第１面部から上方へ板材の肉厚に相当する突部が形成されていることを特徴とした請求項１〜３の何れか一つに記載の梁受け金物。
【請求項５】
横架材又は柱に前記請求項１〜４の何れか一つの梁受け金物を前記縦方向を上下とし第３面部を下方かつ表面側として金物の固定用部材及び係合部材Ａ，Ｂで取付け、梁の端面に、同じ形態の相手方梁受け金物を前記縦方向を上下として第３面部を上方かつ表面側として金物の固定用部材及び係合部材Ａ，Ｂで取付け、横架材側梁受け金物に梁側梁受け金物を重合させ、係合部材Ａ，Ｂに切欠Ｅ，Ｆを相互に係合させた後、梁側梁受け金物の上端面から、さらに、金物の固定用部材を横架材へ向けて斜め下方に打ち込んであることを特徴とした横架材又は柱と梁との結合構造。
【請求項６】
切欠Ｅの一方の壁が外部からの操作によって変形可能とされ、変形によって切欠Ｅによる通路を遮断可能としてあることを特徴とした請求項１〜４の何れか一つに記載の梁受け金物。
【請求項７】
ほぼ一定な肉厚の板材を板材の縦方向に対して横方向の曲げ線に沿って屈曲することにより、第１面部と第２面部及び第１面部に続けて折り返し連結面部を形成した態様で第３面部を構成した基本的に同じ形の金物を第１の金物Ｐと第２の金物Ｓとし、第１金物Ｐと第２金物Ｓを縦方向で対称に配置し、その一方を反転して他方へ重合させ、係合させる金物であり、これら金物の第２面部は、第１面部と重ならない位置で板材の肉厚分だけ上方へ、かつ、第１面部とほぼ平行に配置され、第３面部は第１面部と重なる位置で、第１面部から第１面部に取付ける結合用ボルトの直径に板材肉厚分を加えた分の上方へ、かつ、平行に配置されており、第１面部と第２面部及び第３面部の縦方向寸法はほぼ等しくされ、第１面部と第２面部に固定用孔を設けると共に、第３面部と第１面部にこれらの面部を貫通する係合部材Ａ用の孔を設け、第２面部に第２面部を貫通する係合部材Ｂ用の孔を設け、さらに、第３面部の端縁に相手方の前記係合部材Ｂと係合しこの係合部材Ｂの位置かそれよりも深い縦方向の切欠Ｆを形成し、第２面部の端縁に相手方の前記係合部材Ａと係合しこの係合部材Ａの位置かそれよりも深い縦方向の切欠Ｅを形成してあり、
第１金物Ｐの第１面部に前記の結合用ボルトを第１面部を基準面として縦方向に第１面部と平行に溶接固定し、その先端を第２面部の端面よりも突出させてこの部分にねじを設け、第２の金物Ｓにおける前記連結面部に第１の金物Ｐに固定した前記結合用ボルトの先端部が通る貫通孔を設けてあることを特徴とした梁受け金物。
【請求項８】
第１金物Ｐの結合用ボルトが複数本であり、切欠Ｅ，Ｆと固定用孔の位置を避けて第１面部へ平行に固定され、第２金物Ｓの連結部にボルトの本数に対応した貫通孔が形成されていることを特徴とした請求項７に記載の梁受け金物。
【請求項９】
ほぼ一定な肉厚の板材を縦方向の両側で平行に表面側に折り上げて、左右の袖部とその間の主面部を形成し、主面部の縦方向一端を袖部と同じ方向に折り上げた受け面部とし、主面部に金物の固定用孔を設けた構造を基本構造とした第１金物Ｐと第２金物Ｓとからなり、
第１金物Ｐは基本構造に加えて、その袖部を、主面部から表面側に折り上げた先をさらに内側に折り返して内側片とし、内側片の縦方向端縁を、内側片が縦方向で上方から下方へ幅広となる傾斜面に形成したものとし、主面部に結合用ボルトを、縦方向に、固定用孔を避けて固定し、かつ、先端を主面部の上端から突出させてその部分に雄ねじを設けてあり、
第２金物Ｓは基本構造に加えて、その袖部を、主面部から表面側に折り上げた先を外側に折り曲げた外側片とし、外側片の縦方向端縁を外側片が上方から下方へ幅狭となる傾斜面に形成したものとし、受け面部に前記第１金物Ｐの結合用ボルトの先端が貫通する孔を設けてあり、
第１金物Ｐと第２金物Ｓを、その上下を揃えて配置した後、一方を反転して縦方向から重ねたとき、第１金物Ｐの袖部内側に第２金物Ｓの袖部が位置して内側片の傾斜面に外側片の傾斜面が接して重なるとともに、第２金物Ｓの受け面部に設けた貫通孔に第１金物Ｐの結合用ボルトが挿通し、第２金物Ｓの主体部下端縁が第１金物Ｐの受け面部に当接するそれぞれの寸法としてあることを特徴とした梁受け金物。
【請求項１０】
ほぼ一定な肉厚の板材を縦方向の両側で平行に表面側に折り上げて、左右の袖部とその間の主面部とし、主面部の縦方向一端を袖部と同じ方向に折り上げた受け面部とし、主面部に金物の固定用孔を設けた構造を基本構造とした第１金物Ｐと第２金物Ｓとからなり、
第１金物Ｐは基本構造において、その袖部を、主面部から表面側に折り上げた先を断面においてコ字形となるよう内側に折り返した立面部、横面部及び内面部とし、横面部が縦方向で上方から下方へ主面部へ近接する傾斜面に形成したものとしてあり、主面部に結合用ボルトを、縦方向に、固定用孔を避けて固定し、かつ、先端を主面部の上端から突出させその部分にねじを設けてあり、さらに、主面部の上端部に板材の背面側から板材の肉厚分の舌片を受け入れる上端が開口した凹陥部を形成してあると共に、主面部の下端部に袖部と同じ側に折り曲げた受け面部を有し、
第２金物Ｓは基本構造において、受け面部を上方とし、主面部両側の袖部を、主面部から表面側に折り上げた先を断面コ字形となるように外側に折り返した立面部、横面部及び外面部とし、外面部の縦方向端縁を縦方向で上方から下方へ主面部から離れる方向の傾斜面としたものとし、受け面部を表面側に折り上げた後下方に屈曲させて水平面部と舌片とした断面Ｌ字形の支持部とし、水平面部にボルトが通る貫通孔を形成してあり、
第１金物Ｐと第２金物Ｓを、その上下を揃えて配置した後、一方を反転して縦方向から重ねたとき、第１金物Ｐの袖部内側に第２金物Ｓの袖部が位置して第１金物Ｐにおける横面部の傾斜面に第２金物Ｓの内面部端縁面の傾斜面が接して重なるとともに、第２金物Ｓの凹陥部に第１金物Ｐの舌片が嵌り込み、第２金物Ｓの支持部に設けた貫通孔に第１金物Ｐの結合用ボルトが挿通し，第２金物Ｓの主面部下端縁が第１金物Ｐの受け面部に当接するそれぞれの寸法としてあることを特徴とした梁受け金物。
【請求項１１】
ほぼ一定な肉厚の板材を縦方向の中心線に対して対称な傾斜線に沿って表面側に折り上げて、左右の袖部とその間の主面部を形成し、主面部の縦方向一端を袖部と同じ方向に折り上げた受け面部とし、主面部に金物の固定用孔を設けた構造を基本構造とした第１金物Ｐと第２金物Ｓとからなり、
第１金物Ｐは基本構造において、その袖部を、主面部から表面側に折り上げた先を内側に折り曲げて横面部とした断面においてＬ字形の構造とし、横面部を縦方向で上方から下方へ主面部に近づく傾斜面としてあり、主面部に結合用ボルトを、縦方向に、固定用孔を避けて固定し、かつ、先端を主面部の上端から突出させその部分にねじを設けてあり、さらに、主面部の下端部に袖部と同じ側に折り曲げた受け面部を有し、
第２金物Ｓは基本構造において、受け面部を上方とし、主面部両側の袖部を、主面部から表面側に折り上げた先を外側に折り返した外側片としてあり、外側片の縦方向端縁を縦方向で上方から下方へ主面部から離れる方向の傾斜面としてあると共に、受け面部に結合用ボルトが通る貫通孔を形成してあり、
第１金物Ｐと第２金物Ｓを、その上下を揃えて配置した後、一方を反転して縦方向から重ねたとき、第１金物Ｐの袖部内側に第２金物Ｓの袖部が位置して第１金物Ｐの袖部における横面部の傾斜面に第２金物Ｓにおける外側片の傾斜面が接して重なるとともに、第２金物Ｓの受け面部に設けた貫通孔に第１金物Ｐの結合用ボルトが挿通し、第２金物Ｓの主面部下端縁が第１金物Ｐの受け面部に当接するそれぞれの寸法としてあることを特徴とした梁受け金物。
【請求項１２】
ほぼ一定な肉厚の板材を縦方向の中心線に対して対称な傾斜線に沿って表面側に折り上げて、左右の袖部とその間の主面部を形成し、主面部の縦方向一端を袖部と同じ方向に折り上げた受け面部とし、主面部に金物の固定用孔を設けた構造を基本構造とした第１金物Ｐと第２金物Ｓとからなり、
第１金物Ｐは基本構造において、その袖部を、主面部から表面側に折り上げた先を内側に折り曲げて立面部と、主面部に平行な横面部を有する、断面においてＬ字形の構造とし、主面部に結合用ボルトを、縦方向に、固定用孔を避けて固定し、かつ、先端を主面部の上端から突出させその部分にねじを設けてあり、さらに、主面部の上端部に、板材の肉厚分の舌片を受け入れる上端が開口した凹陥部を板材の背面側から形成した構造とし、主面部の下端部に袖部と同じ側に折り曲げた受け面部を有し、
第２金物Ｓは基本構造において、受け面部を上方とし、主面部両側の袖部を、主面部から表面側に折り上げた立面部の先を外側に折り曲げた横面部にしてあると共に、受け面部を水平面部と舌片とからなる断面コ字形の支持部に形成してあり、水平面部に結合用ボルトが通る貫通孔を形成してあり、
第１金物Ｐと第２金物Ｓをその上下を揃えて配置した後、一方を反転して縦方向から重ねたとき、第１金物Ｐの袖部内側に第２金物Ｓの袖部が位置して、第１金物Ｐにおける立面部の内面に第２金物Ｓおける横面部の縦方向端縁が接し、第１金物Ｐの横面部の端縁面に第２金物Ｓにおける立面部の外面が接し、第２金物Ｓの支持部の置ける水平面部に設けた貫通孔に第１金物Ｐの結合用ボルトが挿通し、第２金物Ｓの主面部下端縁が第１金物Ｐの受け面部に当接し、さらに、第１金物Ｐの主面部上端に設けた凹陥部に第２金物Ｓの舌片が嵌め込まれるそれぞれの寸法としてあることを特徴とした梁受け金物。
【請求項１３】
ほぼ一定な肉厚の板材を縦方向の中心線に対称な傾斜線に沿って折り上げて、左右の袖部とその間の主面部を形成し、主面部の縦方向一端を袖部と同じ方向に折り上げて受け面部とし、主面部に金物の固定用孔を設けた構造を基本構造とした第１金物Ｐと第２金物Ｓとからなり、
第１金物Ｐは基本構造において、主面部両側の袖部を、主面部から表面側に折り上げて内側に傾斜させた立面部で構成してあり、主面部に結合用ボルトを、縦方向に、固定用孔を避けて固定し、かつ、先端を主面部の上端から突出させその部分にねじを設けてあり、さらに、主面部の上端部に板材の背面側から板材の肉厚分の舌片を受け入れる上端が開口した凹陥部を形成してあり、主面部の下端部に袖部と同じ側に折り曲げた受け面部を有し、
第２金物Ｓは基本構造において、受け面部を上方として、主面部両側の袖部を、主面部から表面側に折り上げて外側へ傾斜させた立面部としてあると共に、受け面部を主面部から折り上げた水平面部とその先をさらに下方へ屈曲させた舌片とからなる断面コ字形の支持部としてあり、水平面部に結合用ボルトが通る貫通孔を形成してあり、
第１金物Ｐと第２金物Ｓをその上下を揃えて配置した後、一方を反転して縦方向から重ねたとき、第１金物Ｐの袖部内側に第２金物Ｓの袖部が位置し、第１金物Ｐにおける袖部の内面に第２金物Ｓにおける袖部の外面が接し、第２金物Ｓの支持部に設けた貫通孔に第１金物Ｐの結合用ボルトが挿通し、第２金物Ｓの主面部下端縁が第１金物Ｐの受け面部に当接し、さらに、第１金物Ｐの主面部上端に設けた凹陥部に第２金物Ｓの舌片が嵌め込まれる、それぞれの寸法としてあることを特徴とした梁受け金物。
【請求項１４】
ほぼ一定な肉厚の板材の上半において縦方向の中心線に対して上方から下方ヘ狭くなる対称な傾斜線Ａに沿った左右の第１袖部と、板材の下半において縦方向の中心線に対して上方から下方へ広くなる対称な傾斜線Ｂに沿った第２袖部を有し、前記傾斜線Ａの縦方向に対する右線の傾斜角度は前記傾斜線Ｂの左線と同じであり、同様に傾斜線Ａの左線の傾斜角度は傾斜線Ｂの右側線と同じである構造を基本構造とした第１金物Ｐと第２金物Ｓとからなり、
第１金物Ｐは基本構造において、板材上半の両側を前記傾斜線Ａに沿って表面側に折り上げ、かつ、内側へ傾斜させて左右の第１袖部にすると共に、その間を主面部とし、主面部に金物の固定用孔を設け、板材下半において、前記傾斜線Ｂに沿った切欠を設けると共にその辺縁を表面側に折り上げ、かつ、外側に傾斜させて左右の第２袖部とし、前記の主面部に結合用ボルトを縦方向に、固定用部材の孔を避け、ねじを設けた先端部を主面部の上端から突出させて固定し、さらに、主面部の上端部に板材の背面側から板材の肉厚分の舌片を受け入れる上端が開口した凹陥部を形成してあり、
第２金物Ｓは基本構造において、板材上半の両側を前記傾斜線Ａに沿って表面側に折り上げ、かつ、外側へ傾斜させて左右の第１袖部にすると共に、その間を主面部とし、主面部に金物の固定用孔を設け、板材下半の両側を前記傾斜線Ｂに沿って表面側に折り上げ、かつ、内側へ傾斜させて左右の第２袖部にすると共に、その間を主面部とし、主面部の上端を袖部と同じ方向に折り曲げて水平面部と主面部に平行な舌片とからなる断面Ｌ字形の支持部に形成してあり、
第１金物Ｐと第２金物Ｓを、その上下を揃えて配置した後、一方を反転して縦方向から重ねたとき、上半において、第１金物Ｐの第１袖部内側に第２金物Ｓの第１袖部が位置して第１金物Ｐにおける袖部の内面に第２金物Ｓおける袖部の折り曲げ部が接して係合され、下半において、第２金物Ｓの第２袖部内側に第１金物Ｐの第２袖部が位置し、第２金物Ｓの袖部の内面に第１金物Ｐにおける袖部の折り曲げ部が接して係合され、第２金物Ｓの主面部上端における支持部の貫通孔に第１金物Ｐのボルト先端部が貫通し、かつ、第１金物Ｐの主面部上端に設けた凹陥部に第２金物Ｓの舌片が嵌め込まれる、それぞれの寸法としてあることを特徴とした梁受け金物。  
【請求項１５】
第２金物Ｓの主面部の下端を背面側に折り曲げて差込片を形成してあることを特徴とした請求項１４に記載の梁受け金物。
【請求項１６】
結合用ボルトに換えナットを第１金物Ｐに固定してあり、第１金物Ｐと第２金物Ｓを重合したとき第２金物Ｓの支持部の貫通孔からボルトをナットへ螺合可能としてあることを特徴とした請求項１５に記載の梁受け金物。
【発明の詳細な説明】
【技術分野】
【０００１】
木造住宅において、横架材又は柱と梁の端部を結合するための建築用金物に関する。
【背景技術】
【０００２】
木造軸組み工法住宅や木造枠組み工法住宅あるいは２×４工法住宅では、横架材又は柱に梁（横架材）の端部を結合する構造部分が多く出現し、地震対策上、金物を用いて抜け落ちや脱落を防止する構造が要求されている。
【０００３】
特許文献１の梁受け金物は、使用に際して、まず、その一部である水平な取付け板（１１）によって壁体（Ｋ）の横架材に固定する。そして、その梁受け板１４に梁（Ｈ）の端部下面を支持させると共に、両側の規制板１５と中央の補強リブ（１７）とで梁端部の左右位置を決めている。この構造は根太受け金物などにも見られるように、横架材に他の横架材（梁、根太など）の端部を突き合わせて結合する個所の補強金物として基本的なものであるが、結合個所に梁受け金物の一部が露出し、床張りや内装など次工程の作業に支障をきたすことがある。
【０００４】
特許文献２の結合金物は、当て板部２で横架材又は柱に固定し、その側板部３，４を梁の端面に設けたスリット（すり割）に差込み、梁の側面から横断方向に差し込むボルト１８で固定する。このものは、結合金物がほとんど露出せず、前記のような難点はない。しかし、梁の端部に深いスリットを形成するので、地震の揺れが大きいと梁の端部が割れてしまう恐れがある。
【０００５】
特許文献３の結合金物は、特許文献１，２のものが横架材又は柱側と梁との何れか一方に結合金物を取付けるのに対して、横架材又は柱側と梁側の双方に結合金物を取付けておき、相互にかみ合わせることで結合が達成されるようになっている。しかし、この結合金物もかみ合わせる部分が梁の長手方向に突出した板体であり、梁の端面に深いスリットを形成する必要がある。
【０００６】
【特許文献１】特開２０００−９６７３９号公報
【特許文献２】特開２０００−１９９２８２号公報
【特許文献３】特開２００２−２９４８８０号公報
【発明の開示】
【発明が解決しようとする課題】
【０００７】
横架材又は柱と梁の結合個所に梁受け金物がほとんど露出せず、かつ、金物を固定するために深いスリットや座掘りを必要とせず、さらに、位置決めと結合が確実な梁受け金物の提供を課題とする。
【課題を解決するための手段】
【０００８】
横架材又は柱の側面に固定する第１の金物Ｐと、梁の端面に固定する第２の金物Ｓとの組み合せからなる。第１の金物Ｐと第２の金物Ｓは基本的に、第１の金物Ｐに対して第２の金物Ｓを上端から差し込むことによって重合させ、また、係合させて横架材又は柱側と梁側の両金物を組合わせることにより、横架材又は柱に対して梁の端部を固定する。
重合し係合させる構造は種々であって、第１の金物Ｐと第２の金物Ｓは、同じ構造のものを、一方は反転させて他のものに係合させ重合させることもあれば、基本的には同じ構造であっても、受け側と差込側とで具体的な点の異なることがある。
【０００９】
第１の金物Ｐ、第２の金物Ｓは、いずれもほぼ一定な肉厚の板材（鋼板など）を素材とした、全体として扁平な形態であり、型取りした板材の両側部や上端部あるいは下端部を折り上げないし屈曲することにより係合や位置決めのための部分を構成する。
第１、第２の金物Ｐ，Ｓには、これらを横架材又は柱の側面あるいは梁の端面に取付けるために、皿頭ねじなどの固定用部材を貫通させる固定用孔と、両金物の相互位置、ひいては横架材又は柱に対し梁を正確に位置決めするための切欠（長孔の一端を切除したような形態のものが多い）を形成する。
【００１０】
第１の金物Ｐと第２の金物Ｓは、前記のように、これらが重合し係合されたとき、相互に位置決めが可能であると共に、横架材又は柱に対する梁端面の結合が緊密であることが必要であり、このために、種々な具体的構成が採用される。例えば、第１金物Ｐが形成する間隙に第２金物Ｓが嵌合して係合する個所では、その間隙を第２金物Ｓの肉厚にほぼ等しくしてガタをなくするとか、受け側となった第１金物Ｐの両側面を上方から下方へすぼまる傾斜面にし、差込側の第２金物Ｓが自動的に第１金物Ｐの中央に案内される構造とするなどである。
【００１１】
また、第１金物Ｐと第２金物Ｓの取付けは皿頭ねじによることを基本としているので、強度上、念を入れて、地震時の突き上げ変位に対してさらに補強する構造を採用することがある。
【発明の効果】
【００１２】
梁受け金物が扁平であり、横架材又は柱の側面と梁端面との間に納まり、結合個所において、金物がほとんど外部に露出しないので、次工程の作業に支障が生じない。また、建築途中とはいえ、建築用金物がぎょうぎょうしく目立たないので、施主に好感を持たれる。
特に、いわゆる「あらわし」と呼ばれる、山小屋風に、軸組みが屋内に露出する建物では、金物が目立たず、屋内雰囲気が良くなる。
【００１３】
幅広とすることで十分な強度を達成でき、また、必要があれば、僅かな座掘りをすることで金物を結合個所の木材内側へ封入することができる。封入によって、金物と外気との接触が制限され、結露が防止され、木材の腐食、金物の発錆が防止される。
【発明を実施するための最良の形態】
【００１４】
ほぼ一定な肉厚の板材を板材の縦方向に対して横方向の曲げ線に沿って屈曲することにより、第１面部と第２面部及び第１面部に続けて折り返した態様で第３面部を構成した金物とする。同じ構造の金物２個を準備して第１金物Ｐ、第２金物Ｓとし、これら金物Ｐ，Ｓを縦方向で対称に配置し、その一方を反転して他方へ重合させて係合させることにより使用する。
【００１５】
第１の金物Ｐ（第２の金物Ｓにおいても同じ）における第２面部は、第１面部と重ならない位置で板材の肉厚分だけ上方へ、かつ、第１面部とほぼ平行に配置され、第３面部は第１面部と連結面部でつながり、第１面部に重なる位置で、第１面部から板材肉厚分の２倍の上方へ、かつ、平行に配置される。すなわち、第２面部は第１面部の一端側に連続しており、第２面部は第１面部の他端側に連続するが、第１面部の表面側へ折り返された構造となっている。
【００１６】
また、第１面部と第２面部及び第３面部の縦方向寸法はほぼ等しくされる。そして、第１面部と第２面部にこの金物を横架材又は柱あるいは梁に取り付ける固定用孔を設けると共に、第３面部と第１面部にこれらの面部を貫通する係合部材Ａ用の孔を設け、第２面部に第２面部を貫通する係合部材Ｂ用の孔を設ける。
【００１７】
さらに、第３面部の端縁に相手方の前記係合部材Ｂと係合すると共に、この係合部材Ｂの位置かそれよりも深い縦方向の切欠Ｆを形成し、また、第２面部の端縁に相手方の前記係合部材Ａと係合すると共に、この係合部材Ａの位置かそれよりも深い縦方向の切欠Ｅを形成してある。
【００１８】
第１金物Ｐを横架材または柱に固定し、第２金物Ｓを梁の端面に固定する。第１金物Ｐは、第２面を上方に、第３面を下方に、かつ、第３面を表側として皿ねじで固定する。また、第３面部と第１面部に設けた孔を貫通させて係合部材Ａを横架材又は柱に固定し、第２面部に設けた孔を貫通させて係合部材Ｂを横架材又は柱に固定する。
第２金物Ｓを梁の端面に、第１金物Ｐとは上下を逆にし、かつ、第３面部を表側として同様に、皿ねじ、係合部材Ａ，Ｂにより固定する。
【００１９】
第１金物Ｐを固定した横架材又は柱に対して、第２金物Ｓを固定した梁の端面を近接させて、第１金物Ｐに第２金物Ｓを第１金物Ｐの上方から重合させ、係合させる。すると、第１金物Ｐの第３面部と第１面部との間に第２金物Ｓの第２面部が入り込んで係合すると共に、この第２面部の端縁に設けた切欠Ｅが第１金物Ｐ側の係合部材Ａを挟み込む。また、第１金物Ｐの第２面部が、第２金物Ｓの第３面部と第１面部の間に入り込んで係合すると共に、この第２面部の端縁に形成した切欠Ｅが第２金物Ｓ側の係合部材Ａを挟み込む。
なお、第１金物Ｐの第３面部からすると、この第３面部は、梁に取付けられている第２金物と梁端面との隙間（間隔ｄ）に差し込まれる格好となる。第２金物の第３面部は、第金物の第２面部と横架材側面との隙間（間隔ｄ）に差し込まれる格好となる。
【００２０】
さらに、同時に第２金物Ｓの第３面部が第１金物Ｐの第２面部と横架材又は柱との間隙（間隔は板材の肉厚）に嵌り込んで係合すると同時に、第２金物Ｓの第３面部端縁の切欠Ｆが第１金物Ｐ側の係合部材Ｂと係合し、また、第１金物Ｐの第３面部が第２金物Ｓの第３面部と梁端面との間隙（間隔は板材の肉厚）に嵌り込んで係合すると同時に、第１金物Ｐの第３面部端縁の切欠Ｆが第２金物Ｓ側の係合部材Ｂと係合する。これにより、第１金物Ｐと第２金物Ｓはそれぞれ、金物の縦方向中心線に関して左右方向で、相互に位置決めがなされる。
【００２１】
第２面部と横架材又は柱、あるいは梁端面との間隔は第３面部の肉厚にほぼ等しいから、第１金物Ｐと第２金物Ｓが前記のように重合し係合するとガタは生じない。また、第１面部、第２面部及び第３面部の縦方向長さはほぼ等しくしてあるから、第１金物Ｐと第２金物Ｓを重合させ、係合させたとき、梁に取付けた第２金物Ｓの第２面部の下端は第１金物Ｐの第１面部と第３面部との折り返し部である連結面部に当接し、上下の位置が定まる。  さらに、第２面部における切欠Ｅと係合部材Ａとの係合と、第３面部における切欠Ｆと係合部材Ｂとの係合により、第１金物Ｐに対する第２金物Ｓの左右方向位置が定まる。
【００２２】
このように、第１金物Ｐと第２金物Ｓは、同じものを使用すればよく、また、金物自体の構造は簡単である。しかも、横架材又は柱の側面に固定された第１金物Ｐに、梁側の第２金物Ｓを上方から差し込んで係合させるだけであるから、横架材又は柱に対して梁の端部を固定する作業も簡単である。
さらに、横架材又は柱と梁との結合個所に第１、第２の金物Ｐ，Ｓを埋め込む形で取付けることができ、梁受け金物が外部に露出しない。この場合においても、金物の取付けに深いスリットや座掘りは必要ないので、横架材又は柱あるいは梁の強度を弱めてしまうことがない。
【実施例１】
【００２３】
図１〜７は、実施例１に関する。第１の金物Ｐと第２の金物Ｓはまったく同じ構造である。第１の金物Ｐと第２の金物Ｓに共通する場合は、これらを単に金物と称する。
第１の金物Ｐは、図２にも示すように、ほぼ一定な肉厚の板材を板材の縦方向Ｙ−Ｙに対して横方向Ｘ−Ｘの曲げ線ｘ１〜ｘ４に沿って屈曲することにより、第１面部ａと第２面部ｂ及び第１面部ａに続けて折り返した態様で第３面部ｃを構成してある。第１面部ａと第３面部ｃとは連結面部１で繋がっている。
第２金物Ｓは、第１金物Ｐに対して上下を逆とし、さらに反転させた配置ないし姿勢で利用する（図１）。
【００２４】
そして、これらの結合にガタが生じないように、また、上下左右の位置決めが正確に行われるように、金物は、次の構造となっている。
金物の第２面部ｂは、第１面部ａと重ならない位置で板材の肉厚分ｄだけ上方へ、かつ、第１面部ａとほぼ平行に配置され（図２ハ）、第３面部ｃは第１面部ａと重なる位置で、第１面部ａから板材肉厚分の２倍（２ｄ）の上方へ、かつ、平行に配置されている。第１面部ａと第２面部ｂ及び第３面部ｃの縦方向寸法はほぼ等しくされ、第１面部ａと第２面部ｂに金物を取付けるための固定用孔２を設けると共に、第３面部ｃと第１面部ａにこれらの面部を貫通する係合部材Ａ用の孔３を設け、第２面部ｂに第２面部ｂを貫通する係合部材Ｂ用の孔４を設ける。
【００２５】
さらに、第３面部ｃの端縁に相手方の前記係合部材Ｂと係合しこの係合部材Ｂの位置かそれよりも深い縦方向の切欠Ｆを形成し、第２面部の端縁に相手方の前記係合部材Ａと係合しこの係合部材Ａの位置かそれよりも深い縦方向の切欠Ｅを形成してある。
【００２６】
第１の金物Ｐは、図３のように、第３面部を表側にし、縦方向で第３面部を下方として横架材５の側面に形成した座掘り６へすっぽりと嵌め込み、固定用孔２を利用して皿ねじ７で固定する。符号Ａ，Ｂは係合用部材で、皿ねじを用い、第１金物Ｐの取付けを兼用している。
第２の金物Ｓは、図５，６のように、梁８の端面に第３面部を表側とし、縦方向で第３面部を上方として皿ねじ９により固定してある。符号Ａ，Ｂは、係合部材であり、皿ねじを用い、第２金物の取付けを兼用している。
【００２７】
横架材５に固定した第１金物Ｐ（図７）に対して梁８の端面に取付けた第２金物Ｓを上方から重合させ係合させる。すなわち、第１金物Ｐ上半の背面側に形成されている第２面部ｂと座掘り底面（横架材又は柱の側面）との間の間隙（間隔ｄ）に、第２金物Ｓの第３面部が差し込まれて係合すると共に、第１金物Ｐ側の係合部材Ｂと第２金物Ｓの第３面部ｃ端縁の切欠Ｆが係合する。同時に第２金物Ｓの第２面部ｂが第１金物Ｐの第３面部の内面に沿って第１面部との間に入り込み、第２金物Ｓにおける第２面部ｂ端縁の切欠Ｅが第１金物Ｐ側の係合部材Ａに係合する。さらに、第１金物Ｐの第３面部が第２金物Ｓの第２面部と梁端面との間隙（間隔ｄ）に嵌め込まれ、かつ、第１金物Ｐの第３面部の切欠Ｆが第２金物Ｓ側の係合部材Ｂと係合する。
このように、第１の金物Ｐと第２の金物Ｓはいわば頭部と尾部が相互に噛み合った巴型の組み合わせとなる。
【００２８】
この結果、梁８は、図７のように、横架材５の側面にその端面を密着させて取り付けることができ、第２金物Ｓにおける第２面部ｂの下端縁が第１金物Ｐの連結面部１に支持されて、確実に固定される。この場合、切欠Ｅ，Ｆの深さを相手方の係合部材Ａ，Ｂの位置に一致させると第２金物Ｓは、第１金物Ｐの係合部材Ａ，Ｂによっても支持され梁８の支持がより安定する。
【００２９】
さらに、図２，図６に見られるように、第１面部ａにおいて係合部材Ａが貫通する孔３の周辺をバーリング様に板材の厚み程度の押し上げ部１１を設けておくことによって、第２面部ｂが第３面部ｃの内面側に差し込まれた状態でガタをなくし、より安定した係合状態とすることができる。
【００３０】
なお、図７では、横架材５に梁８の端部を結合した後，組み合わされた第１金物Ｐと第２金物Ｓの上方の梁８側から横架材５側へ、第２金物Ｓの連結面部１から第２金物Ｓの第２面部ｂを貫通し、横架材５に達する皿ねじ１０を打ち込んである。この皿ねじ１０は地震時に梁８の端部が上方へ持ち上げられるような力（逆剪断力）に対抗する。
逆剪断力は、地震時のゆれで筋かいが梁の端部を押し上げる用に作用することで生じる。
【実施例２】
【００３１】
図８は、実施例１を変形した実施例２をし、第１金物Ｐに関する。実施例１とは、第３面部ｃと第１面部ａを貫通する係合部材Ａ用の孔３が左右２箇所に設けられており、これに対応して第２面部ｂの端縁に２箇所の切欠Ｆが形成されている点でのみ異なる。実施例１と同じ部分には同じ符号を付している。第２金物Ｓも同じ構造である。
第１金物Ｐと第２金物Ｓは、実施例１の場合と同様に横架材５と梁８の端面に取付けられ、横架材５に梁８が固定されると、第１、第２の金物Ｓは、前記巴型の組み合わせとなる。
なお、符号１２は、突き上げに対抗する前記の皿ねじ１０（図７）を差し込むために形成した貫通孔である。
【実施例３】
【００３２】
図９は、実施例２を変形した実施例３であり、第２金物Ｓを示している。実施例２とは、第２面部端縁の切欠Ｅの点で異なる。他は実施例１ないし実施例２と同じである。これらと同じ部分には同じ符号を用いる。第１金物Ｐも同じ構造である。
実施例３における切欠Ｅは、切欠Ｅの一方の壁が耳形の部分１３で構成されており、ねじ１３ａを外部からの操作で押し込むことによって変形可能とされている。
【００３３】
ねじ１３ａは、第１金物Ｐの連結面部１に螺合されており、第１金物Ｐと第２金物Ｓを前記の巴型に組み合わせた後、第１金物Ｐの連結面部１（下方）からねじ込む。すると、図９ハのように、第２金物Ｓの耳形部１３は、切欠Ｅを遮断するように変形し、梁側に突き上げる力が作用しても第２金物の第２面部ｂが第１金物Ｐ側の係合部材Ａから抜け出てしまうのを阻止することができる。
【実施例４】
【００３４】
図１０，図１１は、実施例４を示し、図１０が第１金物Ｐ、図１１が第２金物Ｓである。
第１金物Ｐは、実施例１の第１金物Ｐにおける第１面部ａと第２面部ｂにわたり２本の結合用ボルト１４を縦方向に、かつ、切欠Ｅ，Ｆや固定用孔２、係合部材Ａ，Ｂ用の孔を避けて溶接固定してある。結合用ボルト１４の先端部は第１金物Ｐにおける第２面部の端縁よりも突出しており、この部分にねじが刻設されている。
他の構成、第１面部ａ、第２面部ｂ、第３面部ｃ、係合部材Ａ、係合部材Ｂ、切欠Ｅ及び切欠Ｆなどからなる構造は実施例１と同じである。
【００３５】
第２金物Ｓは、実施例１の第２金物Ｓとほとんど同一であり、連結面部１に前記第１金物Ｐの２本の結合用ボルト１４を通す貫通孔１５が形成されている（図１１ロ）点が異なる。
第１金物Ｐを横架材５に固定し、第２金物Ｓを梁８の端面に固定し、実施例１の場合と同様に、第１金物Ｐと第２金物Ｓを巴型に組み合わせる。すると、第１金物Ｐの結合用ボルト先端部が第２金物Ｓの連結面部１の貫通孔１５から突出するので、この部分にナットを螺合して、第１金物Ｐと第２金物Ｓの結合状態を逆剪断力に対しても確実なものとする。
ボルトとナットによる結合は強固であり、地震などの大きな揺れによっても横架材５から梁８が外れてしまうことがない。
【実施例５】
【００３６】
図１２，図１３は、実施例５を示し、図１２が第１の金物Ｐ、図１３が第２の金物Ｓである。
第１金物Ｐと第２金物Ｓは、いずれも、ほぼ一定な肉厚の板材を縦方向の両側で平行に折り上げて、左右の袖部１６とその間の主面部１７とし、主面部１７の縦方向一端を袖部１６と同じ方向に折り上げた受け面部１８とし、主面部１７に金物の固定用孔２を設けた構造を基本構造としている。
【００３７】
第１金物Ｐ（図１２）は、前記の基本構造に加えて、その袖部１６を、主面部１７から表面側に折り上げその先を内側に折り返した内側片１９を有するものとし、内側片１９の端縁を内側片１９が縦方向で上方から下方へ幅広となる傾斜面２０に形成してある。一方、主面部１７に２本の結合用ボルト１４を、縦方向に、固定用孔２を避けて溶接固定してある。結合用ボルト１４は、先端が主面部１７の上端から突出し、その部分にねじが刻設されている。符号２１は支持部であり、主面部１７の上端をコ字形に屈曲して形成してある。結合ボルト１４の先端部はこの部分を貫通している。
【００３８】
第２金物Ｓ（図１３）は、前記の基本構造において、受け面部１８を上方に配置して支持部とし、さらに、その袖部１６を、主面部１７から表面側に折り上げ、その先を外側に折り曲げた外側片２２とし、外側片２２の端縁を外側片２２が上方から下方へ幅狭となる傾斜面２３に形成してある。一方、支持部とした受け面部１８に、前記第１金物Ｐの結合用ボルト１４の先端が通る貫通孔１５を設けてある。
【００３９】
第１金物Ｐと第２金物Ｓをその上下を揃えて配置した後、一方を反転して縦方向から重ねる。すなわち、第１金物Ｐを横架材５へボルトの先端を上方とし、かつ、袖部１６が表側へ突出するようにして固定し、第２金物Ｓを梁８の端面に受け面部１８が上方となるように、また、袖部１６が表側に突出するようにして固定しておき、第１金物Ｐの袖部１６の内側に第２金物Ｓの袖部１６を位置させ、前記内側片１９の傾斜面２０に外側片２２の傾斜面２３を当て付けて落とし込み重合させる。
【００４０】
すると、第１金物Ｐに対して第２金物Ｓは傾斜面２０，２３の案内で横架材５側に引寄せられ、また、結合用ボルト１４の先端部が第２金物Ｓの貫通孔１５から突出する。結合用ボルト１４の先端部にはナットを螺合して第１金物Ｐと第２金物Ｓを強固に結合する。
【００４１】
この実施例５では、傾斜面２０，２３の当接と案内により、第１金物Ｐに対して第２金物Ｓを引寄せる作用があるので、横架材５に対する梁８の突合せ結合が緊密に行われる。傾斜面２０，２３の当接は、第１金物Ｐと第２金物Ｓを引き離す方向、すなわち、前後方向の移動を阻止する係合ともなる。
なお、第１金物Ｐと第２金物Ｓにおける左右の袖部１６の間隔とそれぞれの高さや、主面部１７の縦方向寸法などは、前記の重合と係合が可能な、それぞれの寸法としてある。
【実施例６】
【００４２】
図１４，図１５は、実施例６を示し、図１４が第１の金物Ｐ、図１５が第２の金物Ｓである。この実施例では、主面部１７とその左右両側に袖部１６を備えた構造が基本となっている。主面部１７には、固定用孔２が形成されている。
【００４３】
第１金物Ｐは基本構造において、その袖部１６を、主面部１７から表面側に折り上げその先を断面においてコ字形となるよう内側に折り返した立面部２４、横面部２５及び内面部２６からなるものとし、横面部２５が縦方向で上方から下方へ、主面部１７へ近接する傾斜面２７となっている。主面部１７の下端部は、袖部１６と同じ方向に折り上げた受け面部１８に構成してある。
【００４４】
また、主面部１７に結合用のボルト１４を、縦方向に、固定用孔２を避けて固定し、かつ、先端を主面部１７の上端に設けた水平面部２１ａから突出させ、その部分にねじを刻設してある。さらに、主面部１７の上端部に板材の背面側から板材の肉厚分の舌片３３（第２金物Ｓ  後述）を受け入れる、上端が開口した凹陥部２８を形成してある。
【００４５】
第２金物Ｓは基本構造において、その袖部１６を、主面部１７から表面側に折り上げその先を断面コ字形となるように外側に折り返した立面部２９、横面部３０及び外側片３１とし、外側片３１の端縁面を縦方向で上方から下方へ主面部１７から離れる方向の傾斜面３２としてある。また、主面部１７の上端部は、表面側に折り上げた後下方に屈曲させた水平面部２１ｂと舌片３３とした断面Ｌ字形の支持部２１となっている。支持部２１の水平面部２１ｂには、結合用ボルト１４の貫通孔１５が形成されている。
【００４６】
第１金物Ｐは、横架材５の側面に結合用ボルト１４の先端を上方とし、受け面部１８を下方とし、かつ、袖部１６が表側に突出するようにして取付け、第２金物Ｓは、梁８の端面に支持部２１を上方に、袖部１６を表側に突出させて取付ける。ついで、梁８の端面を横架材５に近接させて、実施例５の場合と同様に、第１金物Ｐと第２金物Ｓの上下を揃え、一方を反転した配置で縦方向から重ねる。
【００４７】
すると、第１金物Ｐの袖部１６の内側に第２金物Ｓの袖部１６が位置し、第１金物Ｐにおける横面部２５の傾斜面２７に、第２金物Ｓの外側片３１の傾斜面３２が接して重なるとともに、第２金物Ｓの凹陥部２８に第１金物Ｐの舌片３３が上方から嵌り込む。また、第２金物Ｓの支持部２１の水平面部２１ｂに設けた貫通孔１５に第１金物Ｐの結合用ボルト１４が挿通し、第２金物Ｓの主面部１７下端縁が第１金物Ｐの受け面部１８に当接する。最後に第２金物Ｓの水平面部２１から突出した結合用ボルト１４の先端部にナットを螺合して第１金物Ｐと第２金物Ｓを強固に結合する。
なお、第１金物Ｐと第２金物Ｓにおける左右の袖部１６の間隔とそれぞれの高さや、主面部１７の縦方向寸法などは、前記の重合と係合が可能な、それぞれの寸法としてある。
【００４８】
この構造は、袖部１６を形成する際の板材折り曲げ角度がせいぜい９０°止まりなので、加工が容易で製作しやすい利点がある。また、第１金物Ｐの上端部における凹陥部２８に、第２金物Ｓの舌片３３が嵌合するので位置決めしやすく、また、梁８を横架材５から引き離そうとする前後方向の力に対抗する結合用ボルト１４の負荷を軽減することができる。
【実施例７】
【００４９】
図１６、図１７は、実施例７を示し、実施例６と同様であるが、基本構造において、左右の袖部１６を縦方向の中心線に対する対称な傾斜線に沿って配置し、左右の袖部１６の間隔が上方から下方へ狭くなる配置としてある。したがって、袖部１６には、横面部２５の表裏方向での傾斜と、立面部２４の左右方向での傾斜（傾斜面３４）とが重なった、いわばダブルテーパーの構造となっている。
【００５０】
なお、製作を容易にするために、第１金物Ｐの袖部１６は立面部２４と横面部２５とかなる断面Ｌ字形であり、第２金物Ｓの袖部１６は、外側片３１を立面部２４に密着させる構造としてある。左右の立面部２４もまた外側片３１と共に上方から下方へ間隔が狭くなる配置としてある。他の構造はほぼ実施例６の場合と同様である。第１金物Ｐ、第２金物Ｓとも同じ部分には同じ符号を用いて、詳しい説明を省略する。
【００５１】
横架材５の側面に第１金物Ｐを結合用ボルト１４の先端部を上方として取付け、梁８の端面に支持部２１を上方として第２金物Ｓを取付ける。ついで、横架材５に梁８の端部を近接させて第１金物Ｐに上方から第２金物Ｓを差し込んで重合させ、係合させる。結合用ボルト１４の先端は支持部２１の貫通孔１５から突出し、第１金物Ｐと第２金物Ｓの水平面部２１ａ，２１ｂは重合する。結合用ボルト１４の突出部分にナットを螺合して第１金物Ｐと第２金物Ｓを強固に結合する。
【００５２】
重合し係合する態様は実施例６の場合と同様であるが、横架材５に対し梁８は、金物の傾斜面２７と傾斜面３２との当接及び案内により、表裏方向で引寄せられると共に、第１金物Ｐおける左右の傾斜面３４と第２金物Ｓの袖部１６との当接及び案内によって、第２金物Ｓは、左右方向で第１金物Ｐの中心線に沿った位置へ自動的に位置決めされ、また、第２金物Ｓは、第１金物Ｐへ引寄せられる。
第２金物Ｓは、支持部２１を第１金物Ｐの水平面部２１ａに当接させることで支持されるが、左右の袖部１６の傾斜面２７や傾斜面３４によっても支持される。
この構造では、第１の金物Ｐに対して、第２の金物Ｓの左右方向での位置を定めやすく、引寄せが確実に行われる。
【実施例８】
【００５３】
図１８、図１９は、実施例８を示し、実施例７と同様であるが、袖部１６の構造と第１金物Ｐの主面部１７の上端部に凹陥部２８を備え、第２金物Ｓの上端部に構成した支持部２１が舌片３３を備えている点が異なる。
第１金物Ｐと第２金物Ｓは、主面部１７の左右両側に袖部１６を備え、袖部１６が表裏方向と左右方向で傾斜する前記のダブルテーパーとされた構成を基本構造とする。
【００５４】
第１金物Ｐは、基本構造において、袖１６を立面部２４と横面部２５とからなる断面Ｌ字形とし、立面部２４と横面部２５の端縁面を共に、左右の袖部で上方から下方へすぼまる傾斜面３４，３５に構成してある。また、主面部１７の下端を表面側へ折り上げて受け面部１８とし、主面部１７の上端部に表側に張り出す凹嵌部２８を形成してある。符号１４は結合用ボルトであり、第１金物Ｐの主面部１７ヘ縦方向に固定してある。
【００５５】
第２金物Ｓは、前記の基本構造において、袖部１６を立面部２４と横面部２５とで断面Ｌ字形とし、横面部２５が立面部２４から外側へ屈曲している。立面部２４と横面部２５の端面は、前記の傾斜面３４，３５と同じ角度の傾斜面としてある。また、主面部１７の上端部には下向きの舌片３３を備えた断面Ｌ字形の支持部２１を形成してある。支持部２１の水平部分２１ｂには結合用ボルト１４の貫通孔１５が形成されている。
【００５６】
第１金物Ｐを横架材５に取付け、第２金物Ｓを梁８の端部に取付け、第１金物Ｐに対して第２金物Ｓを上方から差込み、重合させて係合させる。このとき、第１金物Ｐの袖部１６における傾斜面３４，３５に第２金物Ｓの袖部１６が当接し、案内される。また、第２金物Ｓの舌片３３は第１金物Ｐの上端に形成してある凹陥部２８に嵌り込み係合状態となる。そして、第１金物Ｐと第２金物Ｓの支持部２１は重合し、第２金物Ｓの水平面部２１ｂに設けた貫通孔１５から結合用ボルト１４の先端部が突出するので、これにナットを螺合し、第１、第２の金物Ｐ，Ｓを強固に結合する。
この構造は、袖部１６の構造が簡単で製造しやすく、かつ、金物の表裏方向寸法（厚み）を小さくすることができる。
【実施例９】
【００５７】
図２０、図２１は、実施例９であり、実施例８に関して袖部１６の構造を簡素化した構造となっている。他の構造は、実施例８の場合と同じであり、同じ部分に同じ符号を付して、詳しい説明を省略する。
袖部１６は、第１金物Ｐにおいて、立面部２４のみからなり、やや内側に傾斜していると共に左右の袖部１６が縦方向の中心線に対して上方から下方へすぼまる傾斜面３４を形成している。
第２金物Ｓの袖部１６も立面部２４のみからなり、外側に傾斜すると共に、やはり、左右の袖部１６が、縦方向の中心線に対して上方から下方へすぼまる傾斜面３４となっている。
【００５８】
第１金物Ｐを横架材５に取付け、第２金物Ｓを梁８の端面に取付け、第１金物Ｐに第２金物Ｓを向かい合わせるようにして上方から差込み、重合させ、係合させる。第２金物Ｓの袖部１６は、第１金物Ｐの袖部１６の内側に位置し、第２金物Ｓの立面部２４の外面が第１金物Ｐの立面部２４の内面（傾斜面３４）に当接し案内される。
支持部２１の水平面部２１ｂにおける貫通孔１５から結合ボルト１４の先端部が突出し、これにナットを螺合して、第１金物Ｐと第２金物Ｓを強固に固定する。
この実施例の構造は、梁８を横架材５側へ引寄せる機能が強力ではないが、袖部１６の構造が簡単で製造しやすい利点がある。
【実施例１０】
【００５９】
図２２、図２３は、実施例１０を示し、図２２が第１の金物Ｐ、図２３が第２の金物Ｓである。
これらの金物は、ほぼ一定な肉厚の板材の上半において縦方向の中心線に対して上方から下方ヘ狭くなる対称な傾斜線Ａに沿った左右の第１袖部３６と、板材の下半において縦方向の中心線に対して上方から下方へ広くなる対称な傾斜線Ｂに沿った第２袖部３７を有し、前記傾斜線Ａの縦方向に対する右線の傾斜角度は前記傾斜線Ｂの左線と同じであり、同様に傾斜線Ａの左線の傾斜角度は傾斜線Ｂの右側線と同じである構造を基本構造としている。
【００６０】
そして、第１金物Ｐは基本構造において、左右の第１袖部３６を、板材上半の両側を前記傾斜線Ａに沿って表面側へ折り上げ、かつ、内側へ傾斜させた立面部３８に形成してある。左右の第１袖部３６の間は主面部３９とされ、主面部３９に固定用孔４０を形成してある。また、板材下半において、前記傾斜線Ｂに沿った切欠４１を設けると共にその辺縁を表面側へ折り上げて立面部４２とし、左右の第２袖部３７を形成している。この袖部３７の立面部４２は外側に傾斜している。前記の主面部３９には、結合用ボルト４３を縦方向に、固定用孔４０を避けて溶接により固定してある。結合用ボルト４３は、ねじを刻設した先端部を、主面部３９の上端から突出させてある。さらに、主面部３９の上端部に板材の背面側から板材の肉厚分の舌片４４（後述）を受け入れる上端が開口した凹陥部４５を形成してある。
【００６１】
第２金物Ｓは基本構造において、板材上半の両側を前記傾斜線Ａに沿って表面側へ折り上げて立面部４６とし、かつ、立面部４６を、この第２金物Ｓでは外側へ傾斜させて左右の第１袖部４７にすると共に、その間を主面部４８とし、主面部４８に固定用孔４９を設けてある。また、板材下半の両側を前記傾斜線Ｂに沿って表面側に折り上げて立面部５０とし、かつ、こちらは内側へ傾斜させて左右の第２袖部５１にすると共に、その間を前記の主面部４８とし、主面部４８の上端を第１袖部４７と同じ方向に折り上げた水平面５２と舌片４４とからなる断面Ｌ字形の支持部５３に形成してある。水平面部５２には、結合用ボルト４３の貫通孔５４が形成されている。
【００６２】
第１金物Ｐを結合用ボルト４３の先端を上方とし、かつ、袖部３６を表面側として横架材５の側面に取付け、第２金物Ｓは、支持部５３を上方とし、かつ、袖部４７を表面側として梁８の端面に取付け、第１金物Ｐと第２金物Ｓを重合し係合する。すなわち、第１金物Ｐと第２金物Ｓの上下を揃えて配置した後、一方を反転して縦方向から重ねる態様となる。
【００６３】
すると、金物の上半において、第１金物Ｐの第１袖部３６の内側に第２金物Ｓの第１袖部４７が位置して第１金物Ｐにおける第１袖部３６の内面に第２金物Ｓおける第１袖部４７の折り曲げ部が接して係合され（図２４）、下半において、第２金物Ｓの第２袖部５１の内側に第１金物Ｐの第２袖部３７が位置し、第１金物Ｐにおける第２袖部の外面に第２金物Ｓにおける第２袖部５１の折り曲げ部が接して係合され、第２金物Ｓの主面部４８上端における水平面部５２の貫通孔５４に結合用ボルト４３の先端部が貫通し、かつ、第１金物Ｐの主面部３９上端に設けた凹陥部４５に第２金物Ｓの舌片４４が嵌め込まれる。
【００６４】
なお、具体的には記載しないが、袖部３６，４７，３７，５１の構造や左右の間隔などは、図のように、それぞれ上記の重合と係合が可能な寸法としてある。  
この構造によれば、傾斜線Ａとこれに対向する形の傾斜線Ｂに沿って形成されている第１袖部３６，４７どうし、第２袖部３７，５１どうしの係合により、第１金物Ｐ、第２金物Ｓの重合と係合が安定した確実なものとなる。また、第１金物Ｐの第１袖部３６、第２袖部３７の立面部３８，４２は、内側および外側に傾斜していずれも主面部３９側へ向かう傾斜面となっているので、第２金物Ｓの第１、第２の袖部を主面部３９側へ引寄せる機能があり、横架材５に対して梁８の端部を緊密に当接させることができる。
【実施例１１】
【００６５】
図２５は、実施例１１を示し、実施例１０における第２金物Ｓの変形例であり、主面部４８の下端に裏面側へ折り曲げた差込み片５５を備えている。他の構成は実施例１０と同じなので、同じ部分に同じ符号を付して具体的な説明を省略する。
差込み片５５は、第２金物Ｓを梁８の端面に取付けるとき、梁８の端面に設けたスリットに差し込んで使用する。差込み片５５により、梁８の荷重が負担されて、第２金物Ｓを梁８の端面に取付けている皿ねじなどの固定用部材に対する負荷を軽減することができる。
また、第１金物Ｐに対し梁側が与える荷重は、上半と下半とで反対方向に作用し、第１金物Ｐを変形させようとする力を均衡させることができる。
【実施例１２】
【００６６】
図２６，図２７は、実施例１２を示し、第１金物Ｐ、第２金物Ｓともに、基本的に実施例１１と同様な構造である。しかし、第１金物Ｐでは、結合用ボルト４３がナット５６であって、主面部４８に溶接固定されている。また、第２金物Ｓでは主面部４８上端の支持部５３が水平面部５２だけとされ、貫通孔５４が形成されている。貫通孔５４には、図示していないボルトを上方から差込み、前記のナット５６にねじ込んで、横架材５と梁８との間で重合させ、係合させた第１金物Ｐと第２金物Ｓを強固に結合する。
【図面の簡単な説明】
【００６７】
【図１】斜視図（実施例１）
【図２】イは正面図、ロは平面図、ハは側面図
【図３】第１金物Ｐの取付け状態を機構的に示した側面図
【図４】取付け状態を示す第１金物Ｐの正面図
【図５】取付け状態を示す第２金物Ｓの正面図
【図６】機構的に示した第２金物Ｓの取付け状態を示す側面図
【図７】横架材に梁を取り付けた状態を機構的に示した側面図
【図８】イは正面図、ロは平面図、ハは側面図（実施例２）
【図９】イは正面図、ロは側面図、ハは閉じた状態の正面図（実施例３）
【００６８】
【図１０】イは正面図、ロは平面図、ハは側面図（実施例４  第１金物Ｐ）
【図１１】イは正面図、ロは平面図、ハは側面図（実施例４  第２金物Ｓ）
【図１２】イは正面図、ロは平面図、ハは側面図（実施例５  第１金物Ｐ）
【図１３】イは正面図、ロは平面図、ハは側面図（実施例５  第２金物Ｓ）
【図１４】イは正面図、ロは平面図、ハは側面図（実施例６  第１金物Ｐ）
【図１５】イは正面図、ロは平面図、ハは側面図（実施例６  第２金物Ｓ）
【図１６】イは正面図、ロは平面図、ハは側面図（実施例７  第１金物Ｐ）
【図１７】イは正面図、ロは平面図、ハは側面図（実施例７  第２金物Ｓ）
【図１８】イは正面図、ロは平面図、ハは側面図（実施例８  第１金物Ｐ）
【図１９】イは正面図、ロは平面図、ハは側面図（実施例８  第２金物Ｓ）
【００６９】
【図２０】イは正面図、ロは平面図、ハは側面図（実施例９  第１金物Ｐ）
【図２１】イは正面図、ロは平面図、ハは側面図（実施例９  第２金物Ｓ）
【図２２】イは正面図、ロは平面図、ハは側面図（実施例１０  第１金物Ｐ）
【図２３】イは正面図、ロは平面図、ハは側面図（実施例１０  第２１金物）
【図２４】第１金物Ｐと第２金物Ｓを重合させ、係合させた状態を機構的に示した斜視図（実施例１０）
【図２５】イは正面図、ロは平面図、ハは側面図（実施例１１  第２金物Ｓのみ）
【図２６】イは正面図、ロは平面図、ハは側面図（実施例１２  第１金物Ｐ）
【図２７】イは正面図、ロは平面図、ハは側面図（実施例１２  第２金物Ｓ）
【符号の説明】
【００７０】
Ｐ  第１金物
Ｓ  第２金物
Ｙ−Ｙ  縦方向
Ｘ−Ｘ  横方向
ｘ１〜ｘ４  曲げ線
ａ  第１面部
ｂ  第２面部
ｃ  第３面部
ｄ  間隔寸法
ｅ  縦方向寸法
Ａ  係合部材
Ｂ  係合部材
Ｅ  切欠
Ｆ  切欠
１    連結面部
２    固定用孔
３    係合部材Ａ用の孔
４    係合部材Ｂ用の孔
５    横架材
６    座掘り
７    皿ねじ
８    梁
９    皿ねじ
１０  皿ねじ
１１  押し上げ部
１２  貫通孔（皿ねじ用）
１３  耳形の部分
１３ａ  ねじ
１４  結合用ボルト
１５  貫通孔
１６  袖部
１７  主面部
１８  受け面部
１９  内側片
２０  傾斜面
２１  支持部
２２  外側片
２３  傾斜面
２４  立面部（実施例６  第１金物Ｐ）
２５  横面部
２６  内面部
２７  傾斜面
２８  凹陥部
２９  立面部（第２金物Ｓ）
３０  横面部
３１  外側片
３２  傾斜面
３３  舌片
３４  傾斜面（実施例７）
３５  傾斜面（実施例８）
３６  第１袖部（実施例１０）
３７  第２袖部
３８  立面部（第１金物Ｐ）
３９  主面部
４０  固定用孔
４１  切欠
４２  立面部（第１金物Ｐ）
４３  結合用ボルト
４４  舌片
４５  凹陥部
４６  立面部（第２金物Ｓ）
４７  第１袖部
４８  主面部
４９  固定用孔
５０  立面部（第２金物Ｓ）
５１  第２袖部
５２  水平面部
５３  支持部
５４  貫通孔
５５  差込み片
５６  ナット
【図１】
2005163454.tif 000003
【図２】
2005163454.tif 000004
【図３】
2005163454.tif 000005
【図４】
2005163454.tif 000006
【図５】
2005163454.tif 000007
【図６】
2005163454.tif 000008
【図７】
2005163454.tif 000009
【図８】
2005163454.tif 000010
【図９】
2005163454.tif 000011
【図１０】
2005163454.tif 000012
【図１１】
2005163454.tif 000013
【図１２】
2005163454.tif 000014
【図１３】
2005163454.tif 000015
【図１４】
2005163454.tif 000016
【図１５】
2005163454.tif 000017
【図１６】
2005163454.tif 000018
【図１７】
2005163454.tif 000019
【図１８】
2005163454.tif 000020
【図１９】
2005163454.tif 000021
【図２０】
2005163454.tif 000022
【図２１】
2005163454.tif 000023
【図２２】
2005163454.tif 000024
【図２３】
2005163454.tif 000025
【図２４】
2005163454.tif 000026
【図２５】
2005163454.tif 000027
【図２６】
2005163454.tif 000028
【図２７】
2005163454.tif 000029